(57)【要約】【課題】内容液を特定方向に向けて正確且つ適確に注出することができ、清潔且つ衛生的な状態を保つことができる容器の中栓構造を提供する。【解決手段】容器１を構成する中栓３の操作部材１７を開操作して、弁体６を押し下げ、内栓４の開口部１１ａを開放する。容器本体２を、注出口５ｂが斜め下向きとなる姿勢に傾けて、開口部１１ａから流出される内容液Ａを、注出路１１ｂにより特定方向に向けて注出ガイドする。容器本体２を、注出口５ｂが上向きとなる姿勢に起立して、注出路１１ｂから内栓４内部に流出した内容液Ａを、内栓４の底部４ｂに流下又は滴下し、底部４ｂの上流側から下流側に向けて流下させ、下流側底部４ｂの排出孔４ｃから排出して、容器本体２内に返還する。【選択図】　図５
2004008364.tif 000002
【特許請求の範囲】
【請求項１】
容器本体の上端側開口部に固定した中栓内部に対して上下動可能に保持され、該中栓の下端側開口部を閉塞する弁体を、該中栓上部に取り付けた操作部材により開閉動作する容器の中栓構造であって、
上記中栓内部を上下分割する底部を、該中栓の下端側開口部よりも上位側内周面に形成し、
上記容器本体に貯蔵された内容液を特定方向に向けて注出ガイドする注出路を、上記中栓の下端側開口部と連通して該中栓内部に設けた
容器の中栓構造。
【請求項２】
上記中栓の底部を、該底部上に滴り落ちる内容液が特定方向に対して流下する形状に形成した
請求項１記載の容器の中栓構造。
【請求項３】
上記中栓の底部上に流下する内容液が排出される排出孔を、上記中栓の下端側開口部と連通して下流側底部に設けた
請求項１又は２記載の容器の中栓構造。
【発明の詳細な説明】
【０００１】
【発明の属する技術分野】
この発明は、例えばお茶やコーヒ、飲料水、炭酸水、酒等の内容物（内容液）を貯蔵するために用いられる容器の中栓構造に関する。
【０００２】
【従来の技術】
従来、上述例の容器に用いられる中栓としては、例えば中栓を構成する上栓体に取り付けられた操作部材をスライド操作して、弁体を押し下げ、注液路及び流入孔を開放した後、その中栓が取り付けられた容器を、注ぎ口が斜め下向きとなる姿勢に傾けて、内容液を注出する容器の中栓構造（特許第２８６２５２２号公報）がある。
【０００３】
【発明が解決しようとする課題】
しかし、上述の容器を、注ぎ口が下向きとなる姿勢に傾けたとき、上栓体と操作部材との隙間に内容液が侵入しやすく、中栓の底部が略平坦であるため、注ぎ口が上向きとなる姿勢に起立しても、内容液が排出されずに残ってしまい、雑菌が繁殖したり、異臭が発生したりする等の原因となりやすい。且つ、上栓体を開放して、残液を排出したり、中栓内部を清掃する等の作業を定期的に行わなければならず、清潔且つ衛生的な状態を保つのに手間が掛かるという問題点を有している。
【０００４】
また、中栓構造の他の例としては、例えば栓本体に取り付けられた操作部材をスライド操作して、弁体を押し下げ、注液路及び流入孔を開放した後、容器を任意方向に傾けて、その傾けた方の注液路から内容液を注出する容器の中栓構造（実開平６−５５５３５号公報）があるが、容器を傾ける方向によって内容液の注出方向が変化するため、内容液が周囲に飛散したり、手に付着することがあり、例えばコップに対して正確に注ぎ込むことが困難である。
【０００５】
この発明は上記問題に鑑み、内容液を、中栓内部に設けた注出路により特定方向に向けて注出ガイドし、該中栓底部に滴り落ちる内容液を排出孔から排出することにより、内容液を特定方向に対して正確且つ適確に注出することができ、清潔且つ衛生的な状態を保つことができる容器の中栓構造の提供を目的とする。
【０００６】
【課題を解決するための手段】
この発明は、容器本体の上端側開口部に固定した中栓内部に対して上下動可能に保持され、該中栓の下端側開口部を閉塞する弁体を、該中栓上部に取り付けた操作部材により開閉動作する容器の中栓構造であって、上記中栓内部を上下分割する底部を、該中栓の下端側開口部よりも上位側内周面に形成し、上記容器本体に貯蔵された内容液を特定方向に向けて注出ガイドする注出路を、上記中栓の下端側開口部と連通して該中栓内部に設けた容器の中栓構造であることを特徴とする。
【０００７】
上述の内容液は、例えば水やお湯、お茶、コーヒ、飲料水、炭酸水、酒等で構成することができる。また、容器は、例えば魔法瓶や保温容器、保冷容器等で構成することができる。つまり、容器を構成する中栓の操作部材を開操作して、弁体を押し下げ、下端側開口部を開放する。容器本体を、注出口が斜め下向きとなる姿勢に傾けると共に、容器本体に貯蔵された内容液を、注出路により特定方向に向けて注出ガイドして、注出口から注出する。一方、容器本体を、注出口が上向きとなる姿勢に起立して、注出路から中栓内部に流出した内容液を、中栓内壁に沿って底部に向けて流下又は滴下し、下流側底部の排出孔及び下端側開口部から排出して、容器本体内に返還する。
【０００８】
実施の形態として、上記中栓の底部を、該底部上に滴り落ちる内容液が特定方向に対して流下する形状（例えば斜面や曲面等）に形成することができる。また、上記中栓の底部上に流下する内容液が排出される排出孔を、上記中栓の下端側開口部と連通して下流側底部に設けることができる。
【０００９】
【作用及び効果】
この発明によれば、容器本体に貯蔵された内容液を、中栓に設けた注出路により特定方向に向けて注出ガイドするので、内容液の注出方向が変化せず、周囲に飛散及び手に付着させることなく、特定方向に対して正確且つ適確に注出することができる。且つ、注出路から中栓内部に流出した内容液を、底部上に流下又は滴下する共に、底部上に流下した内容液を下流側の排出孔から排出して、容器本体内に返還するので、雑菌や異臭等の発生原因となる内容液が残留せず、清潔且つ衛生的な状態を保つことができる。
【００１０】
【実施例】
この発明の一実施例を以下図面に基づいて詳述する。
図面は、内容物の一例である内容液を貯蔵するときに用いられる容器の中栓構造を示し、図１に於いて、この容器１は、中栓３を構成する内栓４を、略有底筒状を有する容器本体２の上端側開口部に嵌着固定し、内栓４内部に対して上下動可能に収容保持された弁体６を、内栓４の上端側開口部に嵌合された外栓５の操作部材１７により開閉動作して、容器本体２に貯蔵された内容液Ａ（飲み物）を注出する。
【００１１】
且つ、略カップ形状を有する把持部付きの蓋体７を、容器本体２を構成する外容器２ｄの開口側外周部に嵌着固定した肩部材９の上端側外周縁部に嵌着すると共に、蓋体７と肩部材９とを着脱可能に螺合固定している。
【００１２】
上述の容器本体２は、例えばステンレスやアルミニウム合金等の金属により形成した内容器２ａと、外容器２ｂと、底板２ｃとで構成され、略断面Ｕ字状（又は略有底筒状）に形成した内容器２ａを、略断面筒状に形成した外容器２ｂ内部に収容し、略円板形状に形成した底板２ｃを、外容器２ｂの下端側開口部に嵌着した後、内容器２ａと、外容器２ｂと、底板２ｃとの対接部分を一体的に接合固定（例えば溶接や接着等）し、略円盤形状に形成した合成樹脂製の底部材２ｄを、外容器２ｂの下端側外周縁部に嵌着固定して２層構造（又は１層構造）に組み付けている。且つ、内容器２ａと外容器２ｂとの対向面間に形成された空間部を真空状態に抜気したり、断熱媒体（例えば断熱材やガス等）を空間部に充填する等して断熱している。
【００１３】
前述の中栓３は、図２、図３、図４、図５にも示すように、容器本体２の上端側開口部に嵌着固定された略円筒状の内栓４と、内栓４の上端側開口部に嵌着固定された外栓５とで構成される。
【００１４】
上述の内栓４は、容器本体２を構成する内容器２ａの上端側開口部に対して挿入され、内栓４の上端側外周縁部に嵌着固定した口部材８を外容器２ｂの開口側外周面に嵌着すると共に、口部材８と外容器２ｂとを一体的に螺合固定（又は着脱可能に固定）している。
【００１５】
且つ、内栓４の下端側外周縁部に嵌着固定した合成ゴム製のシールリング１０を、内容器２ａの開口側内周面に形成した小径の段部２ｅに密着状態に押し付けて、シール状態（水密状態）を保持している。また、螺合固定の代わりに、例えば凹部と凸部とを互いに係止したり、接着剤や粘着剤により接着する等して固定することもできる。
【００１６】
且つ、容器本体２の内容器２ａと連通する開口部１１ａを、内栓４の下端側に開口し、その開口部１１ａと連通して、容器本体２内に貯蔵された内容液Ａを特定方向（前方）に向けて注出するための注出路１１ｂを、内栓４の前端側内周面に沿って上下方向に連続して形成している。
【００１７】
且つ、内栓４の内部を、上述の開口部１１ａよりも上位側内周面に形成した底部４ｂにより上下分割すると共に、底部４ｂを、上流側前端部（注出路１１ｂ側）から下流側後端部に向けて内容液Ａが流下する角度に傾斜し、底部４ｂ上に流下又は滴下した内容液Ａを排出するための排出孔４ｃを、上述の開口部１１ａと連通して、底部４ｂの下流側後端部に開口している。
【００１８】
且つ、弁体６を、開口部１１中央部に形成した筒部１２に対して上下動自在に挿入保持し、コイルスプリング１５を、筒部１２の下端側外周面に形成した段部１３と、弁体６の上端側外周面に嵌着した受け部材１４との間に圧縮装填して、コイルスプリング１５の復元力により、その弁体６の下端側周縁部を、内栓４の下端側外周縁部に嵌着固定したシールリング１０に対して押し付けられる方向に常時付勢し、後述する操作部材１７により弁体６全体が押下動作されるまで、シール状態（水密状態）を保持している。また、コイルスプリング１０の代わりに、例えば渦巻きバネや板バネ等、合成ゴム等の弾性体を用いてもよい。
【００１９】
前述の外栓５は、図６、図７にも示すように、上述の弁体６上端と対向して、栓本体５ａの上面側中央部に形成した注出口５ｂに対して前後回動可能に取り付けられた操作部材１７と、栓本体５ａの上面側両側部に形成した切欠き部１８に取り付けられた係止部材１９とで構成される。また、操作部材１７及び係止部材１９を、例えばピンや支軸等の枢支部材により枢着することもできる。
【００２０】
上述の操作部材１７は、側面から見てレバー形状に形成した部材本体１７ａを、栓本体５ａの上面側中央部に形成した注出口５ｂに対して挿入保持し、その注出口５ｂの対向壁部に形成した軸部５ｃを、部材本体１７ａの基端側両側部に形成した孔部１７ｂに係止して、その軸部５ｃを中心として、注出口５ｂ及び注出路１１ｂが開放される開状態と、注出口５ｂ及び注出路１１ｂ閉塞される閉状態とに対して前後回動自在に枢着している。
【００２１】
且つ、操作部材１７を回動操作する操作部１７ｃを、部材本体１７ａの基端側上面部に形成し、注出口５ｂ及び注出路１１ｂを開閉する蓋部１７ｄを、部材本体１７ａの遊端側を前方に延出して形成し、上述の弁体６上端に対して当接される滑らかな曲面形状のカム部２３を、その弁体６上端と対向して部材本体１７ａの基端側下面部に形成している。
【００２２】
上述のカム部２３は、開口部１１の下端側開口部に対して弁体６を密着許容するカム面２３ａと、弁体６をカム面２３ａとカム面２３ｃとに当接しながら移動するときに乗り越え抵抗を付与するカム面２３ｂと、弁体６を開口部１１の下端側開口部から離間するカム面２３ｄとを前後方向に連続して形成している。且つ、カム部２３に対して弁体６を当接ガイドするガイド壁２４を、カム部２３の両側部に形成している。
【００２３】
つまり、操作部材１７を閉方向（前方）に回動したとき、部材本体１７ａの基端側後縁部に形成した突起２５が注出口５ｂの下面側後縁部に当接し、弁体６がカム面２３ａに対して当接される角度に回動規制され、蓋部１７ｄを、注出口５ｂ及び注出路１１ｂが閉塞される状態に回動規制する。また、操作部材１７を開方向（後方）に回動したとき、部材本体１７ａの操作部１７ｃが注出口５ｂの上面側後縁部に当接し、弁体６がカム面２３ｃに対して当接される角度に回動規制され、蓋部１７ｄを、注出口５ｂ及び注出路１１ｂが開放される状態に回動規制する。
【００２４】
なお、操作部材１７を開角度に回動操作したとき、容器本体２の上端側外周面に嵌着される蓋体７の上部内面に操作部材１７の蓋部１７ｄが当接し、操作部材１７が閉方向に回動される。
【００２５】
前述の係止部材１９は、側面から見て略Ｕ字状に形成した部材本体１９ａを、栓本体５ａの上面側両側縁部に形成した切欠き部１８に挿入し、部材本体１９ａの下端側両側部に形成した軸部１９ｂを、切欠き部１８の両側壁部に形成した孔部１８ａに係止して、部材本体１９ａの下端側に形成した弾性部１９ｃ，１９ｃを、切欠き部１８の中央壁部に係止又は当接して、その弾性部１９ｃ，１９ｃの復元力により、軸部１９ｂを中心として、部材本体１９ａの上端側外面部に形成した突起１９ｄ，１９ｄを、内栓４の上端側両側内周面に形成した孔部４ａに対して係止される方向に付勢している。上端側に形成した操作部１９ｅを、切欠き部１８の上面側両側縁部に係止している。
【００２６】
且つ、部材本体１９ａは、弾性部１９ｃ，１９ｃの弾性変位により、内栓４の孔部４ａに対する突起１９ｄの係止が解除される解除状態と、孔部４ａに対して突起１９ｄが抜き取り不可に係止される係止状態とに操作され、外栓５を、内栓４の上端側開口部に嵌着するとき係止解除状態に弾性変位する。また、弾性部１９ｃの代わりに、例えば板バネやコイルスプリング、合成ゴム等の弾性体を用いることができる。
【００２７】
図示実施例は上記の如く構成するものにして、以下、容器１に貯蔵された内容液Ａを注出するときの方法を説明する。
先ず、蓋体７を、容器本体２の上端側開口部から取り外した後、中栓３の操作部材１７を開操作して、弁体６を押し下げ、内栓４の開口部１１ａを開放する。容器本体２を、注出口５ｂが斜め下向きとなる姿勢に手で保持して傾け、容器本体２に貯蔵された内容液Ａを、開口部１１ａから注出路１１ｂに向けて流入すると共に、その内容液Ａを、外栓５の注出口５ｂから注出される方向に対して注出路１１ｂにより特定方向に向けて注出ガイドし、所望量の内容液Ａを、例えばコップ等の容器に対して所望量注ぎ入れる。
【００２８】
次に、内容液Ａの注出を中止する場合、容器本体２を、注出口５ｂが上向きとなる姿勢（注出が中止される角度及び姿勢）に起立すると、注出路１１ｂから内栓４内部に一部の内容液Ａが流出することがあるが、図２、図４に示すように、内容液Ａは、内栓４内壁に沿って底部４ｂに流下又は滴下し、内栓４の底部４ｂに沿って上流側から下流側に向けて滴り落ち、下流側底部４ｂに一旦集積されるので、残留内容液Ａの排出及び回収が容易に行える。且つ、下流側底部４ｂに集積される内容液Ａは、排出孔４ｃ及び開口部１１ａを介して、容器本体２内に返還されるので、内容液Ａが残留することがない。
【００２９】
一方、容器本体２を起立する前に、操作部材１７を閉操作して、弁体６により開口部１１ａを閉塞し、注出口５ｂを、操作部材１７の蓋部１７ｄで閉塞した場合、内栓４の排出孔４ｃから排出される内容液Ａが、内栓４と弁体６との対向面間に少量残留するが、操作部材１７を開操作して、弁体６を押し下げ、内栓４の開口部１１ａを開放するだけで、容器本体２内に返還することができる。
【００３０】
以上のように、容器本体２に貯蔵された内容液Ａを注出するとき、内栓４内部の注出路１１ｂにより特定方向に向けて注出ガイドするので、内容液Ａの注出方向が変化せず、一定している為、内容液Ａを、例えばコップに対して正確且つ適確に注ぎ込むことができ、周囲に飛散することがある。
【００３１】
且つ、容器本体２を、注出口５ｂが上向きとなる姿勢に起立して、注出路１１ｂから内栓４内部に流出した内容液Ａを、内栓４の底部４ｂに向けて流下又は滴下し、下流側底部４ｂの排出孔４ｃから排出して、容器本体２内に返還するので、雑菌や異臭等の発生原因となる内容液Ａが残留せず、清潔且つ衛生的な状態を保つことができる。
【００３２】
なお、この発明は、上述の実施例の構成のみに限定されるものではない。
【００３３】
上述の容器１を、例えばベルトやチェーン、ワイヤー、紐等の吊下げ具を取り付けたり、ケースや袋、衣服のポケットに収納する等して携帯してもよい。
【図面の簡単な説明】
【図１】容器の中栓構造を示す縦断側面図。
【図２】操作部材による弁体の開閉動作を示す縦断側面図。
【図３】中栓を構成する外栓の固定状態を示す縦断正面図。
【図４】外栓を分離した中栓の内部構造を示す平面図。
【図５】中栓底部の傾斜及び排出孔を示す縦断側面図。
【図６】外栓の分離状態を示す斜視図。
【図７】外栓の分離状態を示す縦断正面図。
【符号の説明】
Ａ…内容液
１…容器
２…容器本体
３…中栓
４…内栓
４ｂ…底部
４ｃ…排出孔
５…外栓
５ｂ…注出口
６…弁体
１１ａ…開口部
１１ｂ…注出路
１７…操作部材
【図１】
2004008364.tif 000003
【図２】
2004008364.tif 000004
【図３】
2004008364.tif 000005
【図４】
2004008364.tif 000006
【図５】
2004008364.tif 000007
【図６】
2004008364.tif 000008
【図７】
2004008364.tif 000009